【手続補正書】
【提出日】平成18年2月1日(2006.2.1)
【手続補正１】
【補正対象書類名】明細書
【補正対象項目名】０００６
【補正方法】変更
【補正の内容】
【０００６】
次に、光電圧センサの動作原理を図１を参照して説明する。発光部における光源として、例えば中心波長０．８５μｍのＬＥＤ(Light Emitting Diode)を使用した場合、ＬＥＤの無偏光７は、発光部１０から出射され、センサ部の偏光子１を通過した後、直線偏光となる。この直線偏光はλ／４板２を通過すると円偏光になり、この円偏光は、電気光学結晶３を通過した後、その電気光学結晶３への印加電圧Ｖｍに応じて楕円化する。すなわち、電気光学結晶３の通過光の偏光状態は印加電圧Ｖｍによって変化する。このような楕円偏光は検光子４を通過した後に出射光８として受光部１２で受光される。この出射光８の強度変化である出力強度変化は、電気光学結晶３の通過光の偏光状態に対応する。この偏光状態は印加電圧Ｖｍにより変化するため、受光側の光ファイバー３２ｂを介して、受光器において検光子４の出力強度変化をモニターし、光量（強度）の変調度を計算することで、印加電圧Ｖｍを測定することができる。ここで、光量の変調度とは、光量のＡＣ成分と光量のＤＣ成分の比のことである。
【手続補正２】
【補正対象書類名】明細書
【補正対象項目名】００１２
【補正方法】変更
【補正の内容】
【００１２】
しかし、上記光学式センサでは、ポッケルス素子に対する入射光の入射角度を周囲温度に対応して変化させる入射角調整手段を必要とし、これにより構成が複雑化し、生産性の低下やコストの上昇を招く。また、前述のように軸ずれの影響は軸ずれ角度だけでなく軸ずれ方向にも関係するので、入射光の入射角度すなわち軸ずれ角度の調整だけでは安定な温度特性が得られない。
【手続補正３】
【補正対象書類名】明細書
【補正対象項目名】００５２
【補正方法】変更
【補正の内容】
【００５２】
＜０.２  光電圧センサの出力の導出＞
＜０.２.１  ビーム素線の出力＞
図２は、図１に示した光電圧センサの入出力特性を説明するための図である。いま、光電圧センサにおいて電気光学結晶３に入射するビームを、そのビームに対する屈折率を示す楕円の２つの主軸方向のそれぞれに振動する光に分解し、分解されたそれらの光の間での位相差角（以下、単に「位相差角」という）を"Δ"で表すものとする。この位相差角Δはビームの偏光状態に対応するため、電気光学結晶３から出射して検光子４に入射するビームの位相差角Δと検光子４からの出力の光量Ｐとの関係（以下、この関係を「光電圧センサの入出力特性」といい、この関係を示す曲線を「光電圧センサの特性曲線」という）は、図２に示すようになる。電気光学結晶３への入射ビームの位相差角Δは、λ／４板２の通過によりπ／２となっている。電気光学結晶３に被測定電圧Ｖｍが印加されていない場合には、電気光学結晶３を通過した後の位相差角Δはπ／２のままである。一方、被測定電圧Ｖｍが印加されると、その電圧に応じて位相差角Δが変化する。したがって、電気光学結晶３に被測定電圧Ｖｍとして交流電圧が印加されると、Δ＝π／２、Ｐ＝Ｐｏ／２の点を光学バイアス点として変動する光学信号が検光子４からの出力として得られる（以下、この光学信号を「光電圧センサの出力」と呼ぶ）。ただし、電気光学結晶３に入射するビーム素線に軸ずれが無いものとする。
【手続補正４】
【補正対象書類名】明細書
【補正対象項目名】０１１９
【補正方法】変更
【補正の内容】
【０１１９】
上記のヘッド部を収納するケース２９の内部は、概ね光軸ＯＡｉおよび光軸ＯＡｏに対して垂直且つ光軸ＯＡｈに対して平行な仕切り板１８によって、センサ領域Ｃｓと光学領域Ｃｏに二分割されている。仕切り板１８には２つの穴ＨｉおよびＨｏが設けられており、入力側光学系のホルダ２８ａおよび出力側光学系のホルダ２８ｂは、仕切り板１８に接触しないようにそれら２つの穴ＨｉおよびＨｏにそれぞれ挿入された状態でケース２９内に収納されている。仕切り板１８の下面、つまりセンサ領域Ｃｓに対向する面には、穴Ｈｉおよび穴Ｈｏのほぼ中間の位置に、光軸ＯＡｉおよび光軸ＯＡｏと概ね平行に延在する固定棒２６が設けられている。入力側光学系のホルダ２８ａには、ＧＲＩＮレンズ３３ａが内蔵されていて、さらに、光ファイバー３２ａの先端に取り付けられたフェルール３１ａが挿入されて固定されている。このフェルール３１ａはＧＲＩＮレンズ３３ａとホルダ２８ａのいずれとも接しない面を有し、その面に凹部３０ａが設けられている。同様に、出力側光学系のホルダ２８ｂには、ＧＲＩＮレンズ３３ｂが内蔵されていて、さらに、光ファイバー３２ｂの先端に取り付けられたフェルール３１ｂが挿入されて固定されている。このフェルール３３ｂも、ＧＲＩＮレンズ３３ｂとホルダ２８ｂのいずれとも接しない面を有し、その面に凹部３０ｂが設けられている。
【手続補正５】
【補正対象書類名】明細書
【補正対象項目名】０１２２
【補正方法】変更
【補正の内容】
【０１２２】
ヘッダ部のセンサ領域Ｃｓに収納された電気光学結晶３は、光軸ＯＡｈに平行な二面のそれぞれに電極３５ａおよび３５ｂ（図示せず）が蒸着されている。さらに、電極３５ａはリード線３４ａによって電極端子２４ａに、電極３５ｂはリード線３４ｂによって電極端子２４ｂに、それぞれ電気的に接続されている。電極端子２４ａおよび２４ｂはケース２９の蓋１１６に固定されており、これらの電極端子２４ａと２４ｂの間には外部の被測定電圧Ｖｍが印加される。
【手続補正６】
【補正対象書類名】明細書
【補正対象項目名】０１２５
【補正方法】変更
【補正の内容】
【０１２５】
また、セラミックを主成分とする無機質接着剤により上記のようにホルダ２８ａおよび２８ｂと固定棒２６とを一体的に接着硬化させることによって、ヘッド部は固定棒２６を介して仕切り板１８に固定される。その結果、ヘッド部自体は仕切り板１８に対して非接触に取り付けられることは前述より明らかである。このように、ケース２９とヘッド部が固定棒２６を介して一体化した状態で、電気光学結晶３に蒸着された電圧印加用電極３５ａおよび３５ｂとリード線３４ａおよび３４ｂで接続された電極端子２４ａおよび２４ｂを取り付けた蓋１１６がケース２９に嵌合される。
【手続補正７】
【補正対象書類名】明細書
【補正対象項目名】０１３２
【補正方法】変更
【補正の内容】
【０１３２】
ＧＲＩＮレンズ内蔵ホルダ２８ａおよび２８ｂのそれぞれに光学接着剤で一体的に接合されている偏光子１と検光子４の間に挟まれて各光軸面に働く摩擦力によって保持されるλ／４板２と電気光学結晶３を、光軸調整用溝状ガイド１３０と弾性を有する外力とから解放することにより、ケース２９と固定ブロック２７により一体化されるヘッド部との間に相互作用のない構成が実現される。ＧＲＩＮレンズ内蔵ホルダ２８ａにフェルール３１ａおよび光ファイバ３２ａを接続し、ＧＲＩＮレンズ内蔵ホルダ２８ｂにフェルール３１ｂおよび光ファイバ３２ｂを接続して、ヘッド部を完成させる。その後、電極端子２４ａおよび２４ｂが取り付けられた蓋１１６をケース２９に嵌合させ、これにより電圧センサが完成する。
【手続補正８】
【補正対象書類名】図面
【補正対象項目名】図１６
【補正方法】変更
【補正の内容】
【図１６】
2001041983.tif 000001
【手続補正９】
【補正対象書類名】図面
【補正対象項目名】図１９
【補正方法】変更
【補正の内容】
【図１９】
2001041983.tif 000002
【手続補正１０】
【補正対象書類名】図面
【補正対象項目名】図２０
【補正方法】変更
【補正の内容】
【図２０】
2001041983.tif 000003